(57)【特許請求の範囲】
【請求項１】
筐体と、
光ビームを出射する光源と、
前記光源から出射した光ビームの照射を受け回転しながら回転角に応じた方向に該光ビームを反射する回転多面鏡と、
前記回転多面鏡で反射した光ビームの偏向方向に延在し該光ビームを反射する反射鏡を備え該光ビームを被走査体上に導いて該被走査体上を該光ビームで繰り返し走査させる走査光学系と、
前記反射鏡と前記筐体との間に介在し、該反射鏡との間、および前記筐体との間の双方がゴム系接着剤で連結された中間部材とを有し、
前記中間部材が、前記反射鏡の延在方向に線状に延び該反射鏡の延在方向に対し交わる幅方向について該反射鏡裏面の中心から外れた位置において該反射鏡裏面に接触する接触部を有し、
前記ゴム系接着剤が、前記反射鏡裏面の前記幅方向中心点を含む位置に接着していることを特徴とする光走査装置。
【請求項２】
前記ゴム系接着剤が、前記反射鏡と前記筐体との間を直接に連結していることを特徴とする請求項１記載の光走査装置。
【請求項３】
前記中間部材が、中心軸が前記反射鏡の延在方向と平行となる姿勢に配置された円柱形状を有する部材であることを特徴とする請求項１又は２記載の光走査装置。
【請求項４】
前記筐体が、前記反射鏡に向かって突出した突部を有し、
前記中間部材が、該突部が入り込む凹部を有することを特徴とする請求項１から３のうちいずれか１項記載の光走査装置。
【請求項５】
帯電し露光により静電潜像を形成する像保持体と、前記像保持体を帯電させる帯電器と、前記像保持体を画像信号に応じて変調された光ビームで走査することにより該像保持体を露光する露光器と、前記静電潜像を現像して現像像を形成する現像器とを有する現像像形成部、および
前記現像像形成部で形成された現像像を記録媒体上に転写する転写器と、前記記録媒体上に転写された現像像を定着する定着器とを有する転写定着部を有し、
前記露光器が、
筐体と、
画像信号を受け該画像信号に応じて変調された光ビームを出射する光源と、
前記光源から出射した光ビームの照射を受け回転しながら回転角に応じた方向に該光ビームを反射する回転多面鏡と、
前記回転多面鏡で反射した光ビームの偏向方向に延在し該光ビームを反射する反射鏡を備え該光ビームを被走査体上に導いて該被走査体上を該光ビームで繰り返し走査させる走査光学系と、
前記反射鏡と前記筐体との間に介在し、該反射鏡との間、および前記筐体との間の双方がゴム系接着剤で連結された中間部材とを有し、
前記中間部材が、前記反射鏡の延在方向に線状に延び該反射鏡の延在方向に対し交わる幅方向について該反射鏡裏面の中心から外れた位置において該反射鏡裏面に接触する接触部を有し、
前記ゴム系接着剤が、前記反射鏡裏面の前記幅方向中心点を含む位置に接着していることを特徴とする画像形成装置。
【請求項６】
前記ゴム系接着剤が、前記反射鏡と前記筐体との間を直接に連結していることを特徴とする請求項７記載の画像形成装置。
【請求項７】
前記中間部材が、中心軸が前記反射鏡の延在方向と平行となる姿勢に配置された円柱形状を有する部材であることを特徴とする請求項５又は６記載の画像形成装置。
【請求項８】
前記筐体が、前記反射鏡に向かって突出した突部を有し、
前記中間部材が、該突部が入り込む凹部を有することを特徴とする請求項５から７のうちいずれか１項記載の画像形成装置。
【発明の詳細な説明】
【技術分野】
【０００１】
本発明は、光走査装置および画像形成装置に関する。
【背景技術】
【０００２】
画像形成装置には、像保持体を光ビームで走査して静電潜像を形成する露光器が採用されたものがある。この露光器には光学部材が配置されており、その光学部材の振動を抑える必要がある。
【０００３】
特許文献１には、ミラーを、ハウジングとは別の部材を介してハウジングに接着することが提案されている。
【０００４】
また、特許文献２には、ミラー側面とハウジング内面の間に緩衝部材を配置することが提案されている。
【先行技術文献】
【特許文献】
【０００５】
【特許文献１】特開２００５−１０７０６４号公報
【特許文献２】特許第２８８５２８８号公報
【発明の概要】
【発明が解決しようとする課題】
【０００６】
光学部材を固い部材を介してハウジングに固定すると、振動がかえって伝わりやすくなることがある。また、柔らかい部材を介してハウジングに固定すると振動の十分な抑制効果が得られない場合がある。
【０００７】
本発明は、光学部材の振動を、本発明を採用しない場合に比較してより効果的に抑制される光走査装置および画像形成装置を提供することを目的とする。
【課題を解決するための手段】
【０００８】
請求項１の光走査装置は、
筐体と、
光ビームを出射する光源と、
光源から出射した光ビームの照射を受け回転しながら回転角に応じた方向に光ビームを反射する回転多面鏡と、
回転多面鏡で反射した光ビームを被走査体上に導いて被走査体上を繰り返し走査させる走査光学系と、
走査光学系を構成する光学部材と筐体との間に介在し、光学部材との間、および筐体との間の双方がゴム系接着剤で連結された中間部材とを有することを特徴とする。
【０００９】
請求項２の光走査装置は、請求項１の光走査装置において、上記ゴム系接着剤が、光学部材と筐体との間を直接に連結していることを特徴とする。
【００１０】
請求項３の光走査装置は、請求項１又は２の光走査装置において、上記光学部材が、光ビームの偏向方向に延在する反射鏡であって、上記中間部材が、その反射鏡の延在方向に線状に延びてその反射鏡の裏面に接触する接触部を有することを特徴とする。
【００１１】
請求項４の光走査装置は、請求項３の光走査装置において、上記中間部材が、中心軸が反射鏡の延在方向と平行となる姿勢に配置された円柱形状を有する部材であることを特徴とする。
【００１２】
請求項５の光走査装置は、請求項３又は４の光走査装置において、上記中間部材が、上記反射鏡の延在方向に対し交わる幅方向についてその反射鏡裏面の中心から外れた位置においてその反射鏡裏面に接触し、上記ゴム系接着剤が、上記反射鏡裏面の上記幅方向中心点を含む位置に接着していることを特徴とする。
【００１３】
請求項６の光走査装置は、請求項１から５のうちのいずれかの光走査装置において、上記筐体が、上記光学部材に向かって突出した突部を有し、上記中間部材が、その突部が入り込む凹部を有することを特徴とする。
【００１４】
また、請求項７の画像形成装置は、
帯電し露光により静電潜像を形成する像保持体と、像保持体を帯電させる帯電器と、像保持体を画像信号に応じて変調された光ビームで走査することにより像保持体を露光する露光器と、静電潜像を現像して現像像を形成する現像器とを有する現像像形成部、および
現像像形成部で形成された現像像を記録媒体上に転写する転写器と、記録媒体上に転写された現像像を定着する定着器とを有する転写定着部を有し、
上記露光器が、
筐体と、
画像信号を受け該画像信号に応じて変調された光ビームを出射する光源と、
光源から出射した光ビームの照射を受け回転しながら回転角に応じた方向に光ビームを反射する回転多面鏡と、
回転多面鏡で反射した光ビームを像保持体上に導いて像保持体上を光ビームで繰り返し走査させる走査光学系と、
走査光学系を構成する光学部材と筐体との間に介在し、光学部材との間、および筐体との間の双方がゴム系接着剤で連結された中間部材とを有するものであることを特徴とする。
【００１５】
請求項８の画像形成装置は、請求項７の画像形成装置において、上記ゴム系接着剤が、光学部材と筐体との間を直接に連結していることを特徴とする。
【００１６】
請求項９の画像形成装置は、請求項７又は８の画像形成装置において、上記光学部材が、光ビームの偏向方向に延在する反射鏡であって、上記中間部材が、反射鏡の延在方向に線状に延びて反射鏡の裏面に接触する接触部を有することを特徴とする。
【００１７】
請求項１０の画像形成装置は、請求項９の画像形成装置において、上記中間部材が、中心軸が反射鏡の延在方向と平行となる姿勢に配置された円柱形状を有する部材であることを特徴とする。
【００１８】
請求項１１の画像形成装置は、請求項９又は１０の画像形成装置において、上記中間部材が、上記反射鏡の延在方向に対し交わる幅方向について反射鏡裏面の中心から外れた位置において反射鏡裏面に接触し、上記ゴム系接着剤が、上記反射鏡裏面の上記幅方向中心点を含む位置に接着していることを特徴とする。
【００１９】
請求項１２の画像形成装置は、請求項７から１１のうちのいずれかの画像形成装置において、上記筐体が、上記光学部材に向かって突出した突部を有し、上記中間部材が、その突部が入り込む凹部を有することを特徴とする。
【発明の効果】
【００２０】
請求項１の光走査装置および請求項７の画像形成装置によれば、本構成を有していない場合に比較して、光学部材の振動が抑制される。
【００２１】
請求項２の光走査装置および請求項８の画像形成装置によれば、ゴム系接着剤が、光学部材と筐体との間を中間部材を介在させてのみ連結している場合と比べ、光学部材の振動がさらに抑制される。
【００２２】
請求項３の光走査装置および請求項９の画像形成装置によれば、反射鏡の振動が抑制される。
【００２３】
請求項４の光走査装置および請求項１０の画像形成装置によれば、反射鏡の延在方向に線状に延びて接触する接触部を有する中間部材が容易に得られる。
【００２４】
請求項５の光走査装置および請求項１１の画像形成装置によれば、本構成を有しない場合と比べ、反射鏡の振動がさらに抑制される。
【００２５】
請求項６の光走査装置および請求項１２の画像形成装置によれば、本構成を有しない場合と比べ、中間部材を配置する際の作業性が向上する。
【図面の簡単な説明】
【００２６】
【図１】本発明の一実施形態としての画像形成装置の概略構成図である。
【図２】露光器を示した斜視図である。
【図３】露光器の筐体内に配備された光学系の平面図である。
【図４】露光器の筐体内に配備された光学系の斜視図である。
【図５】図２に示す露光器で用いている中間部材の斜視図である。
【図６】中間部材取付け前のシリンドリカルミラーの中央部分の拡大図である。
【図７】中間部材を取り付けた後の図６と同じ部位を示した図である。
【図８】シリンドリカルミラーと筐体のリブとの間に取り付けられている中間部材を側方から見た状態を示した図である。
【発明を実施するための形態】
【００２７】
以下、本発明の実施形態を説明する。
【００２８】
図１は、本発明の一実施形態としての画像形成装置の概略構成図である。この図１に示す画像形成装置１には、露光器５３が組み込まれている。この露光器５３は、本発明の光走査装置の一実施形態に相当する。
【００２９】
この画像形成装置１は、原稿読取部１０、画像形成部２０、および用紙収容部３０を有する。
【００３０】
原稿読取部１０には、原稿Ｓが重ねられた状態に置かれる原稿給紙台１１が備えられている。この原稿給紙台１１上に置かれた原稿Ｓは１枚ずつ送り出されて搬送ロール１２によって搬送経路１３上を搬送され、透明ガラス製の原稿読取板１４の下に置かれた原稿読取光学系１５により、その搬送されてきた原稿に記録されている文字や画像が読み取られて原稿排紙台１６上に排出される。
【００３１】
また、この原稿読取部１０は、その奥側に左右に延びるヒンジを有し、そのヒンジを回転中心として、原稿給紙台１１および原稿排紙台１６を一体的に持ち上げることができる。その持ち上げた下には、原稿読取板１４が広がっている。この原稿読取部１０では、原稿給紙台１１に原稿を置くことに代えて原稿読取板１４上に原稿を１枚だけ下向きに置き、原稿読取光学系１５が矢印Ａ方向に移動してその原稿読取板１４上の原稿から文字や画像を読み取ることもできる。
【００３２】
原稿読取光学系１５で得られた画像信号は、処理・制御回路２１に入力される。処理・制御回路２１は、以下のようにして、入力されてきた画像信号に基づく画像を形成する。また、この処理・制御回路２１は、この画像形成装置１の各部の動作制御を担っている。
【００３３】
また、この画像形成装置１の下部に設けられた用紙収容部３０には、３台の給紙台３１＿１，３１＿２，３１＿３が収容されている。これらの給紙台３１＿１，３１＿２，３１＿３には、各給紙台３１＿１，３１＿２，３１＿３ごとに例えば寸法の異なる用紙Ｐが積み重なった状態に収容されている。各給紙台３１＿１，３１＿２，３１＿３は、用紙Ｐの補給のために、引出し自在に構成されている。
【００３４】
それら３台の給紙台３１＿１，３１＿２，３１＿３のうちの、例えば原稿の寸法に適合した寸法の用紙Ｐが収容されている給紙台（ここでは一例として給紙台３１＿３とする）から用紙Ｐがピックアップロール３２により送り出され、さばきロール３３により１枚ずつに分離され、その１枚の用紙Ｐが搬送ロール３４により矢印Ｂの向きに上方に搬送され、待機ロール３５によりそれ以降の搬送のタイミングが調整されてさらに搬送される。この待機ロール３５以降の搬送については後述する。
【００３５】
また、画像形成部２０には、手差し給紙台２２が備えられている。この手差し給紙台２２はその下端部を中心に開く折り畳み式のものであり、この手差し給紙台２２を開き、その上に用紙を置き、その手差し給紙台２２に置かれた用紙を矢印Ｃに従って送り込むことも可能である。
【００３６】
この画像形成部２０の中央部には、矢印Ｄで示す向きに回転する感光体５１を有し、その感光体５１の周囲に、帯電器５２、現像装置６０、除電器５４、およびクリーナ５５が配置されている。また、感光体５１の上方には、露光器５３が配置されている。また、後述する中間転写ベルト７１を感光体５１との間に挟んだ位置には転写器５６が置かれている。
【００３７】
感光体５１は円筒形状を有し、帯電により電荷を保存し露光によりその電荷を放出してその表面に静電潜像が形成される。
【００３８】
帯電器５２は、感光体５１の表面をある帯電電位に帯電する。
【００３９】
また、露光器５３には、処理・制御回路２１から画像信号が入力され、その入力された画像信号に応じて変調された光ビーム５３１を出力する。この光ビーム５３１は、矢印Ｄ方向に回転する感光体の表面５１の帯電器５２による帯電を受けた部分を、その感光体５１の回転軸方向（図１の紙面に垂直な方向）に繰り返し走査し、感光体５１の表面に静電潜像を形成する。さらに感光体５１は光ビーム５３１の走査を受けて表面に静電潜像が形成された後、現像装置６０により現像され、その感光体５１の表面にトナー像が形成される。ここで、現像装置６０は、６台の現像器６１＿１，６１＿２，６１＿３，６１＿４，６１＿５，６１＿６を備え、矢印Ｅの向きに回転して、それら６台の現像器６１＿１〜６１＿６のうちのいずれか１台の現像器（図１に示す状態では現像器６１＿１）が感光体５１に対面した位置に移動される。感光体５１上に形成された静電潜像は、その感光体５１に対面した現像器（ここでは現像器６１＿１とする）により現像されてトナー像が形成される。
【００４０】
現像装置６０に備えられている６台の現像器６１＿１〜６１＿６には、各現像器ごとにイエロー（Ｙ）、マゼンタ（Ｍ）、シアン（Ｃ）、および黒（Ｋ）や、さらにそのユーザの用途に応じた２色の特色のトナーが収容されている。感光体５１上の静電潜像の現像にあたっては、今回使用される色のトナーを収容した現像器が感光体５１に対面する位置に回転され、その感光体５１に対面した現像器により、その現像器に収容された色トナーによる現像が行なわれる。ユーザの用途に応じた特色としては、例えば画像の艶出しに用いる透明トナーや、そのユーザにおいて多用される色に調整されたトナー等が用いられる。
【００４１】
現像装置６０の上部には、６台の現像器６１＿１〜６１＿６のそれぞれで用いられている色トナーと同一の色トナーが収容された６台のトナータンク６２＿１〜６２＿６が置かれている。各現像器６１＿１〜６１＿６内のトナーが減ると対応する色のトナーが収容されているトナータンク６２＿１〜６２＿６からその現像器６１＿１〜６１＿６内にトナーが供給される。
【００４２】
現像器による現像により、感光体５１上に形成されたトナー像は、転写器５６の作用により中間転写ベルト７１上に転写される。
【００４３】
この感光体５１は、この転写後に除電器５４による除電を受け、さらにクリーナ５５により、転写後の感光体５１に残存しているトナーが除去される。
【００４４】
中間転写ベルト７１は、複数のロール７２に架け回された、無端の、矢印Ｆ方向に循環移動するベルトである。この中間転写ベルト７１の近傍には、用紙Ｐの搬送経路を挟んだ位置に転写器７３が配置され、さらにその転写器７３よりも中間転写ベルト７１の循環移動方向下流側には、転写器７３による転写後に中間転写ベルト７１上に残存するトナーを除去するクリーナ７４が配置されている。これらの転写器７３およびクリーナ７４は、中間転写ベルト７１に接触自在に離間する構成となっている。複数色による画像を形成するときは、転写器７３およびクリーナ７４を中間転写ベルト７１から離間させておき、ある１色のトナーによるトナー像を感光体５１上に形成して中間転写ベルト７１に転写する過程を、現像装置６０を回転させながら複数の現像器（複数色のトナー）について繰り返し、中間転写ベルト７１上に複数色のトナーによる複数のトナー像を順次重なるように転写する。
【００４５】
その後、転写器７３を中間転写ベルト７１に接触させ、重ねられた複数色のトナー像がその転写器７３が置かれた転写位置に達するときに用紙Ｐもその転写位置に達するように用紙Ｐが待機ロール３５から送り出され、その転写位置において、転写器７３の作用により、中間転写ベルト７１上の複数色のトナー像が用紙Ｐ上に転写される。トナー像の転写を受けた用紙は、さらに矢印Ｇで示す向きに搬送され、定着器７５による加熱および加圧を受けてその用紙上に定着トナー像からなる画像が形成される。この定着器７５を通過した用紙は、さらに矢印Ｈで示す向きに搬送されて用紙排出台２３上に排出される。
【００４６】
また、クリーナ７４も中間転写ベルト７１に接触するように移動し、転写器７３による転写後に中間転写ベルト７１上に残存するトナーが、クリーナ７４により、その中間転写ベルト７１上から除去される。
【００４７】
また、この画像形成装置１は、用紙Ｐの両面に画像を形成することが可能な装置となっている。用紙Ｐの両面に画像を形成する場合、上記のようにして用紙Ｐの第１面にのみ画像が形成された用紙Ｐは、用紙排出台２３上に排出されることに代わり、案内部材３６の切り替えにより、搬送ロール３７により矢印Ｉで示す向きに搬送される。その後搬送方向が反転し、もう１つの案内部材３８により、今度は矢印Ｋで示す向きに搬送ロール３９により搬送されて待機ロール３５に至る。
【００４８】
その後は、再度上記と同様にして、今度はその用紙Ｐの第２面に画像が形成される。このようにして両面に画像が形成された用紙Ｐは、今度は用紙排出台２３上に排出される。
【００４９】
図２は、露光器を示した斜視図である。
【００５０】
この図２には、露光器の蓋が取り外され、その露光器内部が示されている。
【００５１】
この露光器５３の筐体５３２には回路基板８１が固定されており、その回路基板８１には、面発光タイプのレーザダイオード８２（図３，図４参照）が搭載されている。この回路基板８１には、ケーブル８１１が接続され、さらにその回路基板８１には、処理回路８１２も搭載されている。この回路基板８１に搭載されているレーザダイオード８２は、複数本の光ビームを出射するタイプのレーザダイオードであり、この露光器５３は、図１に示す感光体５１上を複数本の光ビームで同時に走査する構成となっている。
【００５２】
ケーブル８１１は、図１に示す処理・制御回路２１に接続されて、画像信号をその処理・制御回路２１から回路基板８１に伝達する。この回路基板８１に伝達された画像信号は、処理回路８１２で処理され、レーザダイオード８２から出射する光ビームの変調を制御する変調信号に変換されてレーザダイオード８２に伝えられる。レーザダイオード８２は、その伝えられた変調信号に応じて変調された複数本の光ビームを出射する。
【００５３】
この露光器５３の筐体５３２内には、回転多面鏡８３やその他の複数の光学部材からなる光学系が配置されている。
【００５４】
図３および図４は、露光器の筐体内に配備された光学系の、それぞれ平面図および斜視図である。
【００５５】
レーザダイオード８２から出射した複数本の光ビーム５３１は、コリメータレンズ８４およびアパーチャ８５を通過しハーフミラー８６に到る。ハーフミラー８６は入射ビームの一部を反射しその反射ビーム５３１ａは集光レンズ８７を介して、光量検知用の光センサ８８に入力される。この光センサ８８による受光信号は図２に示す回路基板８１に伝達され、その回路基板８１上の処理回路８１２で、その受光信号に基づいて、レーザダイオード８２から出射される光ビームの光量が調整される。
【００５６】
ハーフミラー８６を透過した光ビームは、さらにシリンドリカルレンズ８９を経由して回転多面鏡（ポリゴンミラー）８３に達する。この回転多面鏡８３はその周面８３１が反射鏡となっており、入射ビームをその回転角に応じた方向に反射する。この回転多面鏡８３は矢印Ｌ方向に回転し、したがってその反射ビームは矢印Ｍ方向に繰り返し偏向される。
【００５７】
回転多面鏡８３で反射した光ビームはｆθレンズ９０を通過し、シリンドリカルミラー９１で上方に反射され、平面ミラー９２で光路を折り返す方向に反射される。このミラー９２で反射された光ビームは、ｆθレンズ９０や回転多面鏡８３の上方を通過しシリンドリカルミラー９３で下方に反射されて、筐体５３２に設けられた開口５３３（図２参照）を通って筐体５３２の下方に出射する。この露光器５３の筐体５３２から出射した光ビーム５３１は、図１に示すように、感光体５１をその回転軸方向に走査し、感光体５１上に静電潜像を形成する。
【００５８】
また、図４に示す、回転多面鏡８３による光ビームの偏向範囲Ｒ内であって感光体５１の走査に利用する走査領域Ｓから外れた位置に反射ミラー９４が配置されており、ミラー９２で反射した光ビームは、一回の走査の開始タイミングでその反射ミラー９４で反射する。その反射ミラー９４での反射ビーム５３１ｂは、集光レンズ９５を経由してタイミング検出用光センサ９６に入射する。
【００５９】
この光センサ９６は、光ビーム変調のタイミングを調整するために各回の走査の開始タイミングを検出するセンサである。この光センサ９６で得られた受光信号は処理・制御回路２１（図１参照）に伝達され、その処理・制御回路２１で、その受光信号に基づいてタイミング調整された画像信号が生成され、その画像信号が処理・制御回路２１からケーブル８１１を経由して回路基板８１に入力される。このようにして、レーザダイオード８２からは、ケーブル８１１を経由して入力されてきた画像信号に基づくとともに、光センサ８８の受光信号に基づいて光量が調整された変調信号に応じて変調された光ビーム５３１が出射される。
【００６０】
ここで、シリンドリカルミラー９３は、回転多面鏡８で反射偏向された光ビームを感光体５１（図１参照）に導く走査光学系を構成する光学部材の１つであるが、この露光器５３では、図２に示すように、このシリンドリカルミラー９３の背面と筐体５３２との間に中間部材６１１が配置され、さらにその中間部材６１１が、ゴム系接着剤により、筐体５３２とシリンドリカルミラー９３との双方に連結されている。
【００６１】
シリンドリカルミラー９３は、光ビームの走査方向に長尺なミラーであり、図１に示す画像形成装置１の動作に伴う振動が伝わって振動すると、感光体５１上の静電潜像、ひいては、用紙上に形成される画像に画質欠陥があらわれることがある。
【００６２】
特に図１に示すタイプの画像形成装置１の場合、現像器６１＿１〜６１＿６の切り替えの際に現像装置６０が回転するが、その動きに伴いかなり大きな振動が発生する。画像の生産性を高めることが要求されており、画像の生産性を高めようとすると現像装置６０の回転の間、露光器５３による露光（光ビーム５３１による感光体５１の走査）を停止させておくことが難しい。
【００６３】
そこで、ここでは、上記の中間部材６１１とゴム系接着剤６１２とにより、画像形成装置１の本体側の振動によるシリンドリカルミラー９３の振動を抑えている。
【００６４】
図５は、図２に示す露光器で用いている中間部材の斜視図である。
【００６５】
この中間部材６１１は、アルミニウム製であって全体として円柱形状を有し、中央部分に、凹部としての溝６１１ａが形成されている。この中間部材６１１は、アルミニウムの丸棒を切断して削るだけでよく、安価に作製される。
【００６６】
図６は、シリンドリカルミラーの中央部分の拡大図である。この図６は、中間部材取付け前の状況を示している。
【００６７】
また、図７は、中間部材が取り付けられた後の図６と同じ部位を示した図である。
【００６８】
シリンドリカルミラー９３は、反射面９３１（図８参照）が斜め下向きに配置されており、図６，図７には、シリンドリカルミラー９３の背面９３２と上面９３３が示されている。また図６，図７には、筐体５３２（図２参照）に設けられた開口５３３も示されている。
【００６９】
筐体５３２には、シリンドリカルミラー９３の背面９３２に向かって突出したリブ５３６が形成されている。中間部材６１１は、このリブ５３６が、図５に示す円柱形状の中間部材６１１の中央の溝６１１ａに入り込むようにして、この中間部材６１１の円柱形状の中心軸がシリンドリカルミラー９３の長手方向と平行となる姿勢に配置される。このように、リブ５３６を溝６１１ａに入り込ませるようにして中間部材６１１を配置することにより、中間部材６１１が所期の姿勢および位置に容易に配置される。この中間部材６１１は、シリンドリカルミラー９３の背面９３２にシリンドリカルミラー９３の延びる長手方向に長く線接触する。この線接触により、すなわちシリンドリカルミラー９３の長手方向に延びた接触により、シリンドリカルミラー９３の振動がより効果的に抑えられる。
【００７０】
中間部材６１１が上記の姿勢に配置された状態で、その中間部材６１１が、ゴム系接着剤により、中間部材６１１とシリンドリカルミラー９３の背面９３２との間、および中間部材６１１と筐体５３２のリブ５３６との間の双方が連結される。
【００７１】
このゴム系接着剤６１２は、中間部材６１１に形成された溝６１１ａ（図５参照）を埋めるようにして、シリンドリカルミラー９３の背面９３２と筐体５３のリブ５３６との間を直接に連結している。
【００７２】
ここで、ゴム系接着剤６１２としては、硬化後にゴム状に伸縮する素材の接着剤であればよく、特に限定されるものではないが、例えば、セメダイン（株）ｓｕｐｅｒＸシリーズ、コニシボンド（株）サイレックス１００、セメダイン（株）ＰＭシリーズなどが使用可能である。
【００７３】
ここでは、ゴム系接着剤６１２を用いているため、硬化後硬い固まりとなる接着剤を用いた場合と比べ、振動吸収効果が高く、この点からもシリンドリカルミラー９３の振動が有効に抑えられる。
【００７４】
図８は、シリンドリカルミラーと筐体のリブとの間に取り付けられている中間部材を側方から見た状態を示した図である。
【００７５】
シリンドリカルミラー９３の反射面９３１には光ビームが照射され、その光ビームが反射面９３１で下方に反射される。
【００７６】
シリンドリカルミラー９３の背面９３２と筐体のリブ５２６との間には、円柱形状の中間部材６１１が配置され、ゴム系接着剤６１２が、リブ５３６と、シリンドリカルミラー９３の背面９３２と、中間部材６１１とを連結するように広がっている。
【００７７】
ここで、円柱形状の中間部材６１１は、シリンドリカルミラー９３の背面９３２に、この図８の紙面に垂直な方向に延びる線形状に線接触している接触部６１１ｂを有するが、この接触部６１１ｂは、シリンドリカルミラー９３の延びる方向に対し交わる幅方向についてのシリンドリカルミラー９３の背面９３２の中央点９３２ｃから外れた下方にある。一方、ゴム系接着剤６１２がこの中央点９３２ｃを含む位置に接触している。
【００７８】
このように、線接触の接触部６１１ｂをシリンドリカルミラー９３の幅方向の、中央から外れた下方とし、幅方向中央部分をゴム系接着剤で埋めることにより、接触部６１１ｂの線接触による振動の抑制とゴム系接着剤６１２による振動の吸収とが相俟ってシリンドリカルミラー９３の振動が画質に影響の全くないレベルに抑えられる。
【００７９】
尚、本実施形態では、中間部材とゴム系接着剤の組合せをシリンドリカルミラー９３の振動を抑えるために用いているが、中間部材とゴム系接着剤の組合せを他の光学部材、例えばシリンドリカルミラー９１や平面ミラー９２の振動を抑えるために用いてもよい。
【００８０】
また、本実施形態では、図１に示すタイプの画像形成装置１に組み込まれた露光器５３を例に挙げているが、本発明は、例えば感光体を複数備えたタイプの画像形成装置など、他のタイプの画像形成装置に組み込まれる露光器にも適用することができる。
【００８１】
さらに、本発明の光走査装置は、画像形成装置の露光器として用いる光走査装置に限られるものではなく、振動が問題となる様々な分野の光走査装置に適用することができる。
【符号の説明】
【００８２】
１    画像形成装置
１０    原稿読取部
２０    画像形成部
２１    処理・制御回路
３０    用紙収容部
５１    感光体
５２    帯電器
５３    露光器
５４    除電器
５５，７４    クリーナ
５６，７３    転写器
６０    現像装置
６１＿１〜６１＿６    現像器
７５    定着器
８１    回路基板
８２    レーザダイオード
８３    回転多面鏡
８４    コリメータレンズ
８５    アパーチャ
８６    ハーフミラー
８７，９５    集光レンズ
８８，９６    光センサ
８９    シリンドリカルレンズ
９０    ｆθレンズ
９１，９３    シリンドリカルミラー
９２    平面ミラー
９４    反射ミラー
５３１    光ビーム
５３１ａ，５３１ｂ    反射ビーム
５３２    筐体
５３３    開口
５３６    リブ
６１２    ゴム系接着剤
６１１    中間部材
６１１ａ    溝
６１１ｂ    接触部
８１１    ケーブル
８１２    処理回路
９３１    反射面
９３２    背面
９３２ｃ    中央点
９３３    上面
【図１】
0005531910.tif 000002
【図２】
0005531910.tif 000003
【図３】
0005531910.tif 000004
【図４】
0005531910.tif 000005
【図５】
0005531910.tif 000006
【図６】
0005531910.tif 000007
【図７】
0005531910.tif 000008
【図８】
0005531910.tif 000009